(57)【要約】【課題】特定の方向から見たときにだけ所定の情報を提供することが可能な再帰性反射標識を提供する。【解決手段】板状の基板１と、基板１の一の面に第１の文字又は図形を形成するように配設される、特定の範囲の入射角で入射した光を光源方向に反射する選択再帰性反射シート２とを備える再帰性反射標識１００。好ましくは、基板１の一の面の選択再帰性反射シート２が配設されていない部分に配設される、入射した光を光源方向に反射する再帰性反射シート３を更に備え、基板１の一の面の再帰性反射シート３で囲まれた部分が第２の文字又は図形を形成する再帰性反射標識１００。【選択図】図１
2006132173.tif 000002
【特許請求の範囲】
【請求項１】
板状の基板と、前記基板の一の面に第１の文字又は図形を形成するように配設される、特定の範囲の入射角で入射した光を光源方向に反射する選択再帰性反射シートとを備える再帰性反射標識。
【請求項２】
前記基板の一の面の前記選択再帰性反射シートが配設されていない部分に配設される、入射した光を光源方向に反射する再帰性反射シートを更に備え、前記再帰性反射シートで囲まれた部分が第２の文字又は図形を形成する請求項１に記載の再帰性反射標識。
【請求項３】
前記選択再帰性反射シートが、前記基板の一の面の前記再帰性反射シートで囲まれて第２の文字又は図形を形成する部分に配設される請求項２に記載の再帰性反射標識。
【請求項４】
前記基板の一の面の、前記再帰性反射シートで囲まれて第２の文字又は図形を形成する部分に配設される、前記第２の文字又は図形と同じ形状の透明着色フィルムを更に備える請求項３に記載の再帰性反射標識。
【請求項５】
前記選択再帰性反射シートにより形成される第１の文字又は図形が、複数の選択再帰性反射シートを組み合わせて形成される請求項１〜４のいずれかに記載の再帰性反射標識。
【請求項６】
前記基板の一の面に、前記一の面側の最上層を形成するように配設される、透明の板状の表面保護層を更に備える請求項１〜５のいずれかに記載の再帰性反射標識。
【発明の詳細な説明】
【技術分野】
【０００１】
本発明は、再帰性反射標識に関し、更に詳しくは、特定の方向から見たときにだけ所定の情報を提供することが可能な再帰性反射標識に関する。
【背景技術】
【０００２】
道路標識としては、通常、基板の表面に必要な情報を描いたものが使用されている。また、夜間の視認性を高めるために、当該情報を再帰性反射シートを使用して描くものもある。これら従来の道路標識は、通常、情報の内容が変化せず、いずれの方向からも常に同じ内容の情報を提供するものであった。従って、双方向通行が可能な道路等において、通行方向によって必要な情報が異なる場合等には、それぞれ別々の道路標識を設置しなければならなかった。
【０００３】
一方、これまでに、表示内容を変化させることができる道路標識が提案されている。例えば、複数の標識面を切り換え可能に備える可変表示装置がある（例えば、特許文献１参照）。これは、時間帯毎に表示する内容を変化させることは可能であるが、どの方向から見ても得られる情報は同じであるため、通行方向によって異なる情報を提供しようとすると、２台以上の標識が必要になり、コスト高となる。また、発光ダイオードを光らせて表示する標識も提案されている（例えば、特許文献２参照）。この標識は、一つの標識で、発光ダイオードの光り方によって複数の情報を提供することが可能であるが、この標識も、どの方向から見ても得られる情報は同じであるため、通行方向によって異なる情報を提供しようとすると、２台以上の標識が必要になり、コスト高となる。
【特許文献１】特開２００３−１６２２３８号公報
【特許文献２】特開平９−１４７２９３号公報
【発明の開示】
【発明が解決しようとする課題】
【０００４】
本発明は、このような従来技術の有する問題点に鑑みてなされたものであり、その特徴は、特定の方向から見たときにだけ所定の情報を提供することが可能な再帰性反射標識に関する。
【課題を解決するための手段】
【０００５】
上記課題を解決するため、本発明によって以下の再帰性反射標識が提供される。
【０００６】
［１］  板状の基板と、前記基板の一の面に第１の文字又は図形を形成するように配設される、特定の範囲の入射角で入射した光を光源方向に反射する選択再帰性反射シートとを備える再帰性反射標識。
【０００７】
［２］  前記基板の一の面の前記選択再帰性反射シートが配設されていない部分に配設される、入射した光を光源方向に反射する再帰性反射シートを更に備え、前記再帰性反射シートで囲まれた部分が第２の文字又は図形を形成する［１］に記載の再帰性反射標識。
【０００８】
［３］  前記選択再帰性反射シートが、前記基板の一の面の前記再帰性反射シートで囲まれて第２の文字又は図形を形成する部分に配設される［２］に記載の再帰性反射標識。
【０００９】
［４］  前記基板の一の面の前記再帰性反射シートで囲まれて第２の文字又は図形を形成する部分に配設される、前記第２の文字又は図形と同じ形状の透明着色フィルムを更に備える［３］に記載の再帰性反射標識。
【００１０】
［５］  前記選択再帰性反射シートにより形成される第１の文字又は図形が、複数の選択再帰性反射シートを組み合わせて形成される［１］〜［４］のいずれかに記載の再帰性反射標識。
【００１１】
［６］  前記基板の一の面に、前記一の面側の最上層を形成するように配設される、透明の板状の表面保護層を更に備える［１］〜［５］のいずれかに記載の再帰性反射標識。
【発明の効果】
【００１２】
本発明の再帰性反射標識によれば、特定の範囲の入射角で入射した光を光源方向に反射する選択再帰性反射シートで、基板の一の面に第１の文字又は図形を形成したため、特定の方向から光を照射しながら、その特定の方向から見たときにだけ、その文字又は図形を視認することが可能になる。
【発明を実施するための最良の形態】
【００１３】
次に本発明の実施の形態を図面を参照しながら詳細に説明するが、本発明は以下の実施の形態に限定されるものではなく、本発明の趣旨を逸脱しない範囲で、当業者の通常の知識に基づいて、適宜設計の変更、改良等が加えられることが理解されるべきである。
【００１４】
図１は、本発明の再帰性反射標識の一の実施の形態を模式的に示す平面図である。本実施の形態の再帰性反射標識１００は、図１に示すように、板状の基板１と、基板１の一の面に「逆走！！」という第１の文字を形成するように選択再帰性反射シート２が配設されている。選択再帰性反射シート２は、特定の範囲の入射角で入射した光を光源方向に反射（選択再帰性反射）する性質を有するシートである。
【００１５】
このように、特定の範囲の入射角で入射した光を光源方向に反射する選択再帰性反射シートで、基板の一の面に「逆走！！」という第１の文字を形成したため、特定の方向から本実施の形態の再帰性反射標識に光を照射しながら、その特定の方向から見たときにだけ、その「逆走！！」という文字を視認することが可能になる。これにより、例えば、この再帰性反射標識を一方通行の道路に設置することにより、指定された走行方向に対して逆走する利用者だけに注意を喚起したり、情報を提供することが可能となる。
【００１６】
図１に示すように、本実施の形態の再帰性反射標識１００は、更に、基板１の一の面の選択再帰性反射シート２が配設されていない部分に配設される再帰性反射シート３を備えていることが好ましい。再帰性反射シート３は、入射した光を光源方向に反射（再帰性反射）する性質を有するシートである。図１に示した再帰性反射シート３は、一枚の四角いシートから「矢印の形状」が切り抜かれた形状である。そのため、再帰性反射シート３が基板１の一の面に配設されたときに、基板１の一の面の再帰性反射シート３で囲まれた部分、すなわち再帰性反射シート３と重ならない部分が「矢印の形状」の第２の図形を形成している。従って、本実施の形態において、「基板の一の面の再帰性反射シートで囲まれた部分」というときは、この基板１の一の面において再帰性反射シート３と重ならない部分であって、外部から、切り抜かれた第２の文字又は第２の図形に対応する形状が視認できる部分をいう。そして、基板１の一の面の「矢印の形状」の第２の図形を形成している部分に、上記選択再帰性反射シート２で「逆走！！」という第１の文字が形成されている。基板１と、再帰性反射シート３とは、ほぼ同じ大きさであることが好ましい。
【００１７】
このように、再帰性反射シートで「矢印の形状」（第２の図形）の外郭を形成することにより、基板１の一の面上に再帰性反射シートのない部分（「矢印の形状」）を形成し、その「矢印の形状」内に、選択再帰性反射シートで「逆走！！」という第１の文字を形成したため、いずれの方向から本実施の形態の再帰性反射標識に光を照射しても、その光源の方向から再帰性反射シートを視認でき、それにより、その再帰性反射シートに囲まれた「矢印の形状」を、光らない部分として認識することが可能になる。そして、更に特定の方向から本実施の形態の再帰性反射標識に光を照射しながら、その特定の方向から見たときにだけ、選択再帰性反射シートで形成された「逆走！！」という第１の文字を視認することが可能になる。そして、上記特定の方向を、上記「矢印の形状」の矢印が指す方向に対して、対向する方向とすることにより、矢印の方向に対して逆走してくる車両に「逆走！！」という文字が視認されるようになる。例えば、この再帰性反射標識を、インターチェンジの合流部等の一方通行の道路に設置することにより、正規の方向に走行している車両からは、正規の進行方向を向いた「矢印の形状」が視認でき、正規の進行方向に対して逆走する車両からは、「矢印の形状」と共に「逆走！！」という文字が視認できるようにすることが可能である。
【００１８】
本実施の形態の再帰性反射標識は、ガードレール、壁面、路面等に固定的に設置して、標識、看板等として使用することができる。そして、機械的又は電気的要素等を介さずに、その中に表示される情報が、視認する角度により変化するものである。
【００１９】
本実施の形態の再帰性反射標識においては、選択再帰性反射シートで第１の文字を形成しているが、文字に限定されるものではなく、図形等でもよい。また、複数の選択再帰性反射シートの小片を組み合わせて「逆走！！」の文字を形成しているが、１枚のシートを所定の文字や図形の形状に切り抜いて使用してもよい。選択再帰性反射シートは、後述するように、選択再帰性反射を良好に維持するために、そのプリズム面側（光を入射させる面に対して反対側（裏側）の面側）にシールプレートを接合して使用することが好ましい。シールプレートは、薄い板状の部材であって、選択再帰性シートと接合するための接着部（接着面）を有するものである。そして、シールプレートは、その接着部の溶融により選択再帰性反射シートと接合することができる。シールプレートの材質としては、ポリカーボネート樹脂、ＡＢＳ樹脂等が好ましい。また、その厚さは、１〜１０ｍｍが好ましく、１〜５ｍｍが更に好ましい。シールプレートを使用すると、選択再帰性反射を良好に維持するだけでなく、そのシールプレートにより多種多様なデザインを形成することができるため、デザイン性の高い再帰性反射標識を作製することができる。
【００２０】
本実施の形態の再帰性反射標識においては、再帰性反射シートから「矢印の形状」（第２の図形）が切り抜かれ、基板の一の面上の、その「矢印の形状」部分に選択再帰性反射シートが配設されているが、選択再帰性反射シートが配設される位置はこれに限定されるものではない。例えば、再帰性反射シートが、「矢印の形状」等の視認されるべき形状の切り抜き部分を有すると共に、四角形、円、三角形、その他の多角形等の形状の切り抜き部分を有し、そこに選択再帰性反射シートが配設されてもよい。
【００２１】
本実施の形態の再帰性反射標識は、図２に示すように、基板の一の面の、再帰性反射シート３で囲まれて「矢印の形状」の第２の図形が形成される部分に配設される、透明着色フィルム５を更に備えることが好ましい。ここで、図２は、本発明の再帰性反射標識の一の実施の形態を示す平面図である。このように、再帰性反射シート３で囲まれる「矢印の形状」部分に同じ矢印の形状の透明着色フィルム５を配設することにより、昼間の明るい時には、透明着色フィルム５による矢印の形状をいずれの方向からも視認することができる。そして、夜間の暗いときには、走行する車両のヘッドライト等により、再帰性反射シート３が配設されていない部分により形成される「矢印の形状」がいずれの方向からも視認でき、選択再帰性反射シート２（図１参照）による「逆走！！」の第１の文字が、特定の方向からのみ視認することができる。これにより、例えば、実際の道路の一方通行箇所に、標識、看板として、本実施の形態の再帰性反射標識が設置された場合に、ルール通りに走行している車両には運転上害にならない情報（「矢印の形状」等）を提供しつつ、ルールを無視して逆走してくる車両には選択再帰性反射シート２による「逆走！！」の文字による注意を喚起する情報を提供可能となり、全ての時間帯において注意喚起及び情報提供の機能を発揮する。透明着色フィルム５は、再帰性反射シート３で囲まれる部分とほぼ同じ大きさか、それより大きいことが好ましい。
【００２２】
本実施の形態の再帰性反射標識は、図３に示すように、基板１の一の面に、一の面側の最上層を形成するように配設される、透明の板状の表面保護層６を更に備えることが好ましい。ここで、図３は、本発明の再帰性反射標識の一の実施の形態を示し、基板１の一の面に垂直な平面で切断した断面図である。図３に示すように、表面保護層６と基板１は、固定具７によりそれぞれの外周が固定されて、全体として一体となった再帰性反射標識を形成している。表面保護層６と基板１は、このように互いに接触していなくても良いが、接触していてもよい。また、透明着色フィルム５は、表面保護層６の基板１側を向いた面に配設されていることが好ましい。
【００２３】
本実施の形態の再帰性反射標識において、選択再帰性反射シートとしては、特許２７３５２９９号に記載されている、「逆反射材料」を使用することが好ましい。図４は、本発明の再帰性反射標識に使用される、選択再帰性反射シートの単位要素を示す斜視図である。図５は、本発明の再帰性反射標識に使用される、選択再帰性反射シートの一部を示し、図５（ａ）は、平面図、図５（ｂ）は正面図である。選択再帰性反射シートとして逆反射材料を使用したときには、選択再帰性反射シートが、図４に示す形状の選択再帰性反射シートの単位要素１１（以下、単に「単位要素１１」ということがある。）を有することが好ましい。単位要素１１は、透明表面層１２と、透明表面層１２の一の面に配設される反射要素１３とを有するものである。反射要素１３は、長さＬを有する矩形のベース１４と、ベース１４に対して９０°未満の角度で接し、互いにほぼ９０°で接する２つの四角形面１５と、ベース１４に対してほぼ９０°で接する垂直三角形面１６と、ベース１４に直交する平面に対して角度α（図５（ｂ）参照）を成す非垂直三角形面１７とを有する立体形状である。上記２つの四角形面１５は長さＹの交差線２０で接しており、長さＹは、上記長さＬより短い。上記角度αは、好ましくはｓｉｎ-1（０．２５／ｎ）〜ｓｉｎ-1（１／ｎ）、更に好ましくはｓｉｎ-1（０．３５／ｎ）〜ｓｉｎ-1（０．９／ｎ）である。ここで、ｎは反射要素の屈折率である。また、垂直三角形面１６と２つの四角形面は、それらの間に立方体状のコーナー１８を画成し、非垂直三角形面１７と２つの四角形面は、それらの間に非直交コーナー１９を画成している。角度αを上記好ましい範囲とすることにより、上記選択再帰性反射シートを使用した本実施の形態の再帰性反射標識を、道路標識として使用したときに、一の方向から近付いて来る車両からはほとんど視認されることはなく、対向する他の方向から近付いて来る車両からは非常に良好に視認されるようにすることが可能となる。
【００２４】
図５（ａ）及び図５（ｂ）に示すように、選択再帰性反射シート５０は、複数の上記単位要素１１が、透明表面層１２が互いに接するようにして、縦横に並べられて形成される。選択再帰性反射シート５０において、透明表面層１２は、全体で一枚のシートであることが好ましい。
【００２５】
垂直三角形面１６及び非垂直三角形面１７は、空気と接していることが好ましく、水等により濡れたり、汚れたりすると、選択再帰性反射シート５０の屈折率が変化し、当初設計された選択再帰性反射が得られなくなることがある。そのため、図６に示すように、選択再帰性反射シート５０の反射要素１３側（プリズム面側）に、交差線２０に接するように、シールプレート２５を貼り付けることが好ましい。それにより、垂直三角形面１６及び非垂直三角形面１７と、シールプレート２５との間に空間ｖを形成することができる。そして、外部からこの空間ｖ内に水等が侵入することを、このシールプレート２５により防止することができる。これにより、垂直三角形面１６及び非垂直三角形面１７を、常に空気と接した状態とすることができ、選択再帰性反射を良好に維持することができる。図６は、本発明の再帰性反射標識に使用される、選択再帰性反射シートにシールプレートを貼り付けた状態を模式的に示した正面図である。
【００２６】
図５（ｂ）に示すように、選択再帰性反射シート５０を使用するときは、透明表面層１２側から光が入射するように基板等に配設する。そして、反射要素１３内に、非垂直三角形面１６側から垂直三角形面１６側に向かって入射した光（入射光）Ａを反射要素１３内で反射して再帰性反射光Ｂとして出射させる。
【００２７】
反射要素の屈折率ｎは、例えば、反射要素をアクリル樹脂で形成したときには、１．４９２であり、また、反射要素をポリカーボネート樹脂で形成したときは、１．５８６である。
【００２８】
選択再帰性反射シートとしては、スリーエム社製、スコッチライトＲＰＭダイヤモンドグレードＲ４０４（商品名）等が好ましい。
【００２９】
選択再帰性反射シート５０において、再帰性反射させることができる入射光の好ましい範囲は以下の通りである。図７は、本発明の再帰性反射標識で使用する選択再帰性反射シートに入射する入射光の選択再帰性反射シート面上における入射角度の範囲を模式的に示す平面図である。図８は、本発明の再帰性反射標識で使用する選択再帰性反射シートに入射する入射光の選択再帰性反射シート面の法線に対する入射角度の範囲を模式的に示す正面図である。図７に示すように、選択再帰性反射シート面５０ａ上においては、入射光３０の入射角度範囲θ１（選択再帰性反射シート面上の入射角度範囲）は、９０°であることが好ましい。ここで、θ１を二等分する線が、図５（ｂ）における垂直三角形面１６に直交する線となり、図５（ｂ）に示すように、入射光Ａは、透明表面層１２から入射し、非直角三角形１７側から垂直三角形１６側に向かって進行する。例えば、スリーエム社製、スコッチライトＲＰＭダイヤモンドグレードＲ４０４（商品名）が、上記好ましい入射光の範囲を示す。
【００３０】
そして、図８に示すように、選択再帰性反射シート５０は、入射光３０が選択再帰性反射シート５０に入射する場合において、選択再帰性反射シート面５０ａの法線５０ｂに対する入射角度θ２の範囲が５０〜８０°のときに、通常の再帰性反射シートより強く光を反射するものであることが好ましい。これにより、再帰性反射標識を道路等に設置したときに、対向車両の一方のみに、必要な情報を良好に与えることができるようになる。
【００３１】
本実施の形態の再帰性反射標識に使用される板状の基板の形状、大きさ及び厚さは、特に限定されるものではなく、目的とする標識や看板に合わせて適宜決定することができる。基板の材質としては、アルミニウム、鉄、ステンレススチール、アクリル樹脂、塩化ビニル樹脂、ポリエチレン、ポリカーボネート、ＡＢＳ樹脂、木材等の平坦なもので標識板の大きさのものを支えられる剛性を有したものが適しており、特にアルミニウムが適している。更に、設置箇所に機械的締結する手段や、両面テープ、接着剤等で固定した場合に撓みが生じないように形成することが好ましい。
【００３２】
本実施の形態の再帰性反射標識に使用される再帰性反射シートは、市販されている再帰性反射シートを使用し、適宜目的の形状に形成して使用することができる。再帰性反射シートとしては、例えば、スリーエム社製、スコッチライト印ダイヤモンドグレード３９７０（商品名）、スコッチライト印ハイ・インテンシティグレード（商品名）、スコッチライト印エンジニアグレード（商品名）等を使用することができる。
【００３３】
本実施の形態の再帰性反射標識に使用される透明着色フィルムは、特に限定されるものではないが、その厚さが３０〜１５０μｍであることが好ましく、５０〜１００μｍであることが更に好ましい。フィルムの材質も特に限定されるものではないが、アクリル樹脂、塩化ビニル樹脂、ポリエステル、フッ素樹脂等が好ましい。これらの中でも、屋外の使用環境を考慮すると、耐久性に優れるアクリル樹脂が特に好ましい。
【００３４】
本実施の形態の再帰性反射標識に使用される表面保護層としては、透明な樹脂製の板を使用することができる。その厚さは、１〜１０ｍｍが好ましく、３〜５ｍｍが更に好ましい。材質としては、アクリル樹脂、ポリカーボネート樹脂等が好ましい。
【００３５】
本実施の形態の再帰性反射標識は以下のようにして製造することができる。板状の基板、選択再帰性反射シート、再帰性反射シート、透明着色フィルム及び表面保護層を、それぞれの材料を目的の形状に切断して作製する。次に、図３に示すように、基板１の目的の位置に、それぞれの情報を提供する形状となるように、選択再帰性反射シート２及び再帰性反射シート３を粘着剤又は接着剤で貼り付ける。また、表面保護層６に透明着色フィルム５を粘着剤又は接着剤で貼り付ける。このとき、透明着色フィルム５を貼り付ける位置は、表面保護層６を基板１に配設するときに、基板上１の再帰性反射シートで囲まれた部分４に重なる位置とする。そして、上記基板１と表面保護層６とを、選択再帰性反射シート２等と透明着色フィルム５とが向かい合わせになるように重ね、固定具７で固定する。以上の操作により再帰性反射標識１００を製造することができる。ここで、固定具７は、２枚の板を、その外縁を挟むことにより固定するものである。固定方法としてはこれに限定されるものではなく、標識板周辺全域に渡り強力な両面テープ又は液状接着剤を使用し、その粘着力により固定する方法等が挙げられる。
【実施例】
【００３６】
（実施例）
図１に示すように、剛性を有する基板１（アルミニウム製、厚さ１ｍｍ）を長方形に切り出し、その一の面に図１に示すような「矢印の形状」（第２の図形）を切り抜いた再帰性反射シート３（スリーエム社製、スコッチライト印ダイヤモンドグレード３９７０（商品名））を貼り付けた。そして、あらかじめポリカーボネート樹脂製のシールプレートに選択再帰性反射シート２（スリーエム社製、スコッチライトＲＰＭダイヤモンドグレードＲ４０４（商品名））を組み込んだ四角い単位シートを複数貼り付けて、図１に示すように、「逆走！！」という第１の文字を形成した。更に、無色透明なアクリル板（三菱レーヨン社製、アクリライト００１（商品名））の裏面に、「矢印の形状」に形成された透明着色フィルム（スリーエム社製、スコッチライト印エレクトロカッタブルフィルム１１７２（商品名））を貼り付けて、図３に示すように固定具７でそれぞれを固定して再帰性反射標識１００を得た。得られた再帰性反射標識１００は、図１に示す「矢印の形状」の矢印が指す方向（Ｓ１）に対して、対向する方向（Ｓ２）から見たときに、選択再帰性反射シートが視認できるように形成されている。
【００３７】
（比較例）
剛性を有する長方形の基板（アルミニウム製、厚さ１ｍｍ）の表面全体に、再帰性反射シート（スリーエム社製、スコッチライト印ダイヤモンドグレード３９７０（商品名））を貼り付けた。更に、透明着色フィルム（スリーエム社製、スコッチライト印エレクトロカッタブルフィルム１１７２（商品名））を図２に示す透明着色フィルム５のように矢印の形状に形成して、再帰性反射シートの表面に貼り付けた。
【００３８】
（評価方法）
実施例と比較例の再帰性反射標識を、矢印の指す方向Ｓ１に進行する車両から見たときと、矢印の指す方向に対して対向する方向Ｓ２に進行（逆走）する車両から見たときの、夜間の見え方を確認した。評価時には、車両に乗車している評価者の目の近くに光源を配置してそれぞれの再帰性反射標識を照らしながら確認した。また、昼間に、Ｓ１方向及びＳ２方向の見え方を確認した。昼間の評価には光源は使用しなかった。
【００３９】
（評価項目）
夜間については、車両の進行方向Ｓ１及びＳ２のそれぞれについて、車両に乗車している評価者が、矢印と「逆走！！」の文字を認識できるか否かを評価した。認識できる場合を「○」、認識できない場合を「×」とした。また、昼間については、「逆走！！」の文字が気になるか否かを確認した。結果を表１に示す。表１において、「文字」は、「「逆走！！」の文字」を意味する。
【００４０】
【表１】
2006132173.tif 000003
【００４１】
表１より、実施例の再帰性反射標識は、矢印方向に走行する車両からは、矢印だけが見えて、矢印方向に対して逆走する車両からは、矢印が見えると同時に「逆走！！」の文字も見えることがわかる。
【産業上の利用可能性】
【００４２】
ガードレール、壁面、路面等に固定的に設置される標識、看板等として利用することができ、表示される情報を視認する角度により変化させることが可能となる。
【図面の簡単な説明】
【００４３】
【図１】本発明の再帰性反射標識の一の実施の形態を模式的に示す平面図である。
【図２】本発明の再帰性反射標識の一の実施の形態を示す平面図である。
【図３】本発明の再帰性反射標識の一の実施の形態を示し、基板の一の面に垂直な平面で切断した断面図である。
【図４】本発明の再帰性反射標識に使用される、選択再帰性反射シートの単位要素を示す斜視図である。
【図５】本発明の再帰性反射標識に使用される、選択再帰性反射シートの一部を示し、図５（ａ）は、平面図、図５（ｂ）は正面図である。
【図６】本発明の再帰性反射標識に使用される選択再帰性反射シートに、シールプレートを貼り付けた状態を模式的に示した正面図である。
【図７】本発明の再帰性反射標識で使用する選択再帰性反射シートに入射する入射光の選択再帰性反射シート面上における入射角度の範囲を模式的に示す平面図である。
【図８】本発明の再帰性反射標識で使用する選択再帰性反射シートに入射する入射光の選択再帰性反射シート面の法線に対する入射角度の範囲を模式的に示す正面図である。
【符号の説明】
【００４４】
１…基板、２，５０…選択再帰性反射シート、３…再帰性反射シート、４…再帰性反射シートで囲まれた部分、５…透明着色フィルム、６…表面保護層、７…固定具、１１…選択再帰性反射シートの単位要素、１２…透明表面層、１３…反射要素、１４…ベース、１５…四角形面、１６…垂直三角形面、１７…非垂直三角形面、１８…立方体状のコーナー、１９…非直交コーナー、２０…交差線、２５…シールプレート、３０…入射光、５０ａ…選択再帰性反射シート面、５０ｂ…選択再帰性反射シート面の法線、１００…再帰性反射標識、Ｌ，Ｙ…長さ、α…角度、ｖ…空間、θ１…選択再帰性反射シート面上の入射角度範囲、θ２…選択再帰性反射シート面の法線に対する入射角度、Ａ…入射光、Ｂ…再帰性反射光。
【図１】
2006132173.tif 000004
【図２】
2006132173.tif 000005
【図３】
2006132173.tif 000006
【図４】
2006132173.tif 000007
【図５】
2006132173.tif 000008
【図６】
2006132173.tif 000009
【図７】
2006132173.tif 000010
【図８】
2006132173.tif 000011